(57)【要約】【課題】羽毛の片寄りが少ない羽毛掛け布団を提供する。【解決手段】この羽毛掛け布団１は、側地と羽毛入り中袋８とからなる。側地には、側表地２及び側裏地３に縫着された立体マチ４によって複数個の室５が設けられている。そして、各室５には、羽毛入り中袋８が配置される。羽毛入り中袋８は、嵩高性が１６５ｍｍ以上の羽毛が袋に充填されてなるものである。また、羽毛入り中袋８には、立体マチ４と係合しうる係合手段Ａが設けられている。立体マチ４には、羽毛入り中袋８を出し入れしうる開閉口６が設けられている。また、係合手段Ａと係合しうる係合手段Ｂが設けられている。各室５に配置された羽毛入り中袋８は、係合手段Ａ及びＢが係合することによって、立体マチ４に固定され、その片寄りを防止しうる。【選択図】　　図３
2004016411.tif 000002
【特許請求の範囲】
【請求項１】
側表地及び側裏地に縫着された立体マチによって複数個の室が設けられた側地と、各室内に配置した羽毛入り中袋とで構成された掛け布団において、前記羽毛入り中袋は、嵩高性が１６５ｍｍ以上の羽毛が袋に充填されてなるものであり、かつ、前記羽毛入り中袋には、前記立体マチと係合しうる係合手段Ａが設けられており、一方、前記立体マチには、前記羽毛入り中袋を出し入れしうる開閉口が設けられていると共に、前記係合手段Ａと係合しうる係合手段Ｂが設けられていることを特徴とする洗濯可能な羽毛掛け布団。
【請求項２】
側表地及び側裏地に縫着された立体マチによって複数個の室が設けられた側地と、各室内に配置した羽毛入り中袋とで構成された掛け布団において、前記羽毛入り中袋は、嵩高性が１６５ｍｍ以上の羽毛が袋に収納されてなるものであり、かつ、前記羽毛入り中袋には、隣り合う他の室に配置された羽毛入り中袋に設けられた係合手段Ｃと係合しうる係合手段Ａが設けられており、一方、前記立体マチには、前記羽毛入り中袋を出し入れしうる開閉口が設けられていると共に、前記係合手段Ａが該他の室に配置された羽毛入り中袋の係合手段Ｃと係合可能とするための隙間が設けられていることを特徴とする洗濯可能な羽毛掛け布団。
【発明の詳細な説明】
【０００１】
【発明の属する技術分野】
本発明は、内部に充填された羽毛に片寄りが生じにくい洗濯可能な羽毛掛け布団に関するものである。
【０００２】
【従来の技術】
特開平８−１０７８２０号公報に記載されているように、側表地１２及び側裏地１３に縫着された立体マチ１４，１４・・・によって複数個の室１５，１５・・・が設けられた側地１７と、各室１５内に配置した羽毛入り中袋１８とで構成された羽毛掛け布団１１が知られている（図１）。そして、各室１５内への羽毛入り中袋１８の出し入れは、側表地１２に設けられた開口部１６を通して行なわれるものである。なお、開口部１６は、その形状をスリット状などに変更し、開閉可能な開閉口にしても良いことも、前記特開平８−１０７８２０号公報には記載されている。
【０００３】
しかしながら、この公報に記載されている羽毛掛け布団は、側表地に開口部又は開閉口が設けられているため、使用中に手足が開口部又は開閉口に引っ掛かるという欠点があった。また、開口部又は開閉口から、埃や塵などが入りやすく、不衛生であるという欠点があった。
【０００４】
【発明が解決しようとする課題】
このため、本件発明者などは、側表地に開閉口を設けるのではなく、側地の内部に位置する立体マチに開閉口を設けることによって、上記欠点を解決した洗濯可能な掛け布団を提案した。この掛け布団は、側表地及び側裏地に縫着された立体マチによって複数個の室が設けられた側地と、各室内に配置した羽毛などの詰め綿入り中袋とで構成され、この立体マチに中袋を出し入れしうる開閉口が設けられているというものである（特許第３１９２６５０号公報）。
【０００５】
本発明は、特許第３１９２６５０号に係る発明を更に改良したものであって、各室内での中袋の片寄り及び中袋に充填された羽毛の片寄りの両者を防止し、掛け布団の使用中に、羽毛の片寄りを最大限防止しようというものである。
【０００６】
【課題を解決するための手段】
すなわち、請求項１に係る発明は、側表地及び側裏地に縫着された立体マチによって複数個の室が設けられた側地と、各室内に配置した羽毛入り中袋とで構成された掛け布団において、前記羽毛入り中袋は、嵩高性が１６５ｍｍ以上の羽毛が袋に充填されてなるものであり、かつ、前記羽毛入り中袋には、前記立体マチと係合しうる係合手段Ａが設けられており、一方、前記立体マチには、前記羽毛入り中袋を出し入れしうる開閉口が設けられていると共に、前記係合手段Ａと係合しうる係合手段Ｂが設けられていることを特徴とする洗濯可能な羽毛掛け布団に関するものである。
【０００７】
また、請求項２に係る発明は、側表地及び側裏地に縫着された立体マチによって複数個の室が設けられた側地と、各室内に配置した羽毛入り中袋とで構成された掛け布団において、前記羽毛入り中袋は、嵩高性が１６５ｍｍ以上の羽毛が袋に収納されてなるものであり、かつ、前記羽毛入り中袋には、隣り合う他の室に配置された羽毛入り中袋に設けられた係合手段Ｃと係合しうる係合手段Ａが設けられており、一方、前記立体マチには、前記羽毛入り中袋を出し入れしうる開閉口が設けられていると共に、前記係合手段Ａが該他の室に配置された羽毛入り中袋の係合手段Ｃと係合可能とするための隙間が設けられていることを特徴とする洗濯可能な羽毛掛け布団に関するものである。
【０００８】
【作用】
請求項１に係る発明においては、側地の室内に配置された羽毛入り中袋に設けられた係合手段Ａと、各室を劃する立体マチに設けられた係合手段Ｂとが係合する。そして、立体マチは、側表地及び側裏地に縫着されて固定されている。したがって、固定された立体マチに係合している羽毛入り中袋も、固定されることになる。よって、羽毛入り中袋が、固定された立体マチから離れて、いずれか一方に片寄ることを防止しうるという作用を奏する。
【０００９】
請求項２に係る発明においては、側地の室内に配置された羽毛入り中袋に設けられた係合手段Ａと、この室に隣り合う室内に配置された羽毛入り中袋に設けられた係合手段Ｃとが係合する。この際、係合手段Ａと係合手段Ｃとは、両室を劃する立体マチに設けられた隙間を通して係合する。そして、立体マチは、側表地及び側裏地に縫着されて固定されている。したがって、固定された立体マチを挟んで係合している隣り合う羽毛入り中袋も、固定されることになる。よって、羽毛入り中袋が、固定された立体マチから離れて、いずれか一方に片寄ることを防止しうるという作用を奏する。
【００１０】
また、請求項１及び２に係る各発明で用いられている羽毛入り中袋に充填されている羽毛は、その嵩高性が１６５ｍｍ以上のものである。ここで、羽毛の嵩高性の値（ｍｍ）は、ＪＩＳ　Ｌ　１９０３の７．２　かさ高性の項に記載された方法によって、測定される値である。この方法を簡単に説明すると、内径２９０±１ｍｍの円筒に入れた、一定量（３０±０．１ｇ）の羽毛の嵩の高さをｍｍで測定するというものである。したがって、この値が大きいほど、羽毛に片寄りが生じにくいということである。すなわち、嵩高性の値が１６５ｍｍ以上であるため、中袋に充填された羽毛の片寄りが生じにくいという作用を奏する。
【００１１】
【発明の実施の形態】
図２は、本発明の一例に係る洗濯可能な羽毛掛け布団１の斜視図である。外見上は通常の掛け布団と何ら変わることはなく、側面には掛け布団の側表地２と側裏地３の接合部９を有している。この接合部９は、掛け布団の側表地２及び側裏地３に直接、ファスナー、面ファスナー、紐及びフックなどの公知の開閉具を取り付けてもよく、また立体マチを用いてその中央部に開閉具を取り付けてもよい。側表地２及び側裏地３の各表面には縫目２１があるが、これは側表地２及び側裏地３と立体マチ４とを縫着し、羽毛入り中袋８を配置するための室を形成するためのもので、従来に見られる詰め綿を固定するために、側表地及び側裏地と詰め綿を一緒にキルティングしたものではない。側表地２及び側裏地３の素材は、合成繊維または天然繊維いずれを用いてもよく、好ましくは洗濯による収縮率が低く、速乾性を有する素材を用いるのが好ましい。
【００１２】
掛け布団１の内部は、図３に示すように、側表地２及び側裏地３に縫着された立体マチ４によって複数個の室５に劃されている。なお、この各室５には、羽毛入り中袋８が配置されるのであるが、図３では、この中袋８を省略している。立体マチ４は、各室５が四辺形などの一定の形状を持つように設けられている。たとえば、図２では、タテ方向に平行に２列の立体マチ列があり、一方、ヨコ方向に平行に３列の立体マチ列がある。したがって、タテ方向は３列に区切られており、ヨコ方向は４列に区切られているため、羽毛入り中袋８を配置する室は１２室となる。なお、このような構成に限られず、立体マチ列数および室数は任意でよい。立体マチ４の素材は、側表地２や側裏地３の素材と同種であっても異種であってもよく、好ましくはメッシュ素材あるいは編物を用いると空気が流通しやすいのでよい。
【００１３】
室５を劃する立体マチ４は開閉口６を有し、この開閉口６を開閉することにより羽毛入り中袋８を出し入れする。開閉口６は、４個の立体マチ４で室５が形成される場合には、少なくとも２個の立体マチ４に開閉口６が設けられる。また、２個又は３個の立体マチ４で室５が形成される場合（室５が立体マチ４と側地の端縁で形成される場合）には、少なくとも１個の立体マチ４に開閉口６が設けられる。要するに、開閉口６を通して、各室５内に配置された羽毛入り中袋８を出し入れ可能にするように、開閉口６が設けられるのである。開閉口６は、開閉可能となっていれば、どのように構成されていてもよいが、具体的には、ファスナー、面ファスナー、紐あるいはフックなどの公知の開閉具が設けられており、これによって開閉可能にされている。なお、本発明においては、側表地２及び側裏地３と、これらに縫着されている立体マチ４で構成されているものを側地と呼んでいる。
【００１４】
立体マチ４には、係合手段Ｂが設けられている。係合手段Ｂとしては、ホック、紐あるいは面ファスナーテープなどの従来公知の係合具を用いればよい。係合手段Ｂが設けられる箇所は、図３では、開閉口６近傍の位置としたが、それ以外の箇所であっても差し支えない。たとえば、開閉口６が設けられていない立体マチ４に設けてもよい。また、係合手段Ｂが紐や面ファスナーテープの場合、その形状は、図３に示すようにテープ状となっていてもよいし、ループ状などの他の形状であってもよい。ホックの場合には、立体マチ４に直接設けてもよいし、紐を介して、この紐にホックを設けてもよい。
【００１５】
図４は、本発明で用いる羽毛入り中袋８の斜視図である。羽毛入り中袋８は、嵩高性が１６５ｍｍ以上の羽毛が袋に充填されてなるものである。羽毛の嵩高性を１６５ｍｍ以上としたのは、前述したように、袋の中で羽毛が片寄りにくくしたものである。袋の素材としては、任意のものを採用しうるが、特に羽毛の外部への飛散を防止するために、目詰めした生地を用いるのが好ましい。また、羽毛入り中袋８に、キルティング２２を施して、羽毛を固定するのが好ましい。キルティング２２の方法、形態、本数などは羽毛の種類によって適宜決定すればよい。また、キルティング２２に代えて、側地に形成させたような立体マチを設け、各室に羽毛を充填するようにしてもよい。
【００１６】
羽毛入り中袋８には、係合手段Ａが設けられている。係合手段Ａとしては、ホック、紐あるいは面ファスナーテープなどの従来公知の係合具を用いればよく、要するに、立体マチ４に設けられた係合手段Ｂと係合するものであれば、どのようなものであってもよい。係合手段Ａを設ける位置は、図示したように、羽毛入り中袋８の端縁であるのが一般的であるが、この位置に限定されるわけではない。また、係合手段Ａの形状や設け方なども、要するに、係合手段Ｂと係合しうるものであれば、任意である。たとえば、図４に示した係合手段Ａは、紐がループとなったものであり、このループに、立体マチ４に設けられた係合手段Ｂである面ファスナーテープ（この面ファスナーテープは片面に雄材と雌材が混在するものである。）を通した後、面ファスナーテープをループ状にして重ね合わせて圧着すれば、係合手段ＡとＢとを係合することができる。
【００１７】
羽毛入り中袋８には、係合手段Ａと共に係合手段Ｃを設けておくこともできる。係合手段Ｃとしては、ホック、紐あるいは面ファスナーテープなどの従来公知の係合具を用いればよく、要するに、係合手段Ａと係合するものであれば、どのようなものであってもよい。係合手段Ｃを設ける位置は、図示したように、係合手段Ａを設けた位置に対向する羽毛入り中袋８の端縁であるのが一般的であるが、この位置に限定されるわけではない。また、係合手段Ｃの形状や設け方なども、要するに、係合手段Ａと係合しうるものであれば、任意である。
【００１８】
このように羽毛入り中袋８に、係合手段ＡとＣとが設けられている場合には、各室５に配置された羽毛入り中袋８同士を係合することができる。すなわち、室５に配置された羽毛入り中袋８の係合手段Ａと、室５と隣り合う室５に配置された羽毛入り中袋８の係合手段Ｃとを係合させることができる。この係合は、立体マチ４を介して行なわれるため、立体マチ４に、係合手段Ａ及び／又はＣを通しうる隙間７を設ける必要がある。隙間７の形状は任意であり、係合手段Ａ及び／又はＣが通せるものであれば、どのようなものでもよい。また、隙間７を設ける位置も、立体マチ４の任意の箇所でよく、たとえば、図示した如く、立体マチ４の隅に設けてもよい。
【００１９】
本発明に係る洗濯可能な羽毛掛け布団は、以下のようにして使用する。すなわち、羽毛入り中袋８を、立体マチ４に設けられた開閉口６を開いて各室５内に配置しながら、羽毛入り中袋８に設けられた係合手段Ａと、立体マチ４に設けられた係合手段Ｂとを係合すると共に開閉口６を閉じて、羽毛掛け布団として使用する。また、羽毛入り中袋８を、立体マチ４に設けられた開閉口６を開いて各室５内に配置すると共に開閉口６を閉じ、そして、羽毛入り中袋８に設けられた係合手段Ａと、隣の室５内に配置された羽毛入り中袋８に設けられた係合手段Ｃとを、立体マチ４の隙間７を通して係合し、羽毛掛け布団として使用する。羽毛掛け布団を家庭で洗濯する際には、立体マチ４に設けられた開閉口６を開くと共に、各係合を外し、羽毛入り中袋８を取り出し、側地及び羽毛入り中袋８を家庭用洗濯機で洗濯する。羽毛入り中袋８は１個毎に洗濯を行うことが好ましいが、洗濯機の大きさに合わせて複数個まとめて洗濯を行ってもかまわない。洗濯後乾燥を行うが、さらにビーティングを行うと、充填されている羽毛の動きが大きくなり嵩高性が回復しやすくなるので好ましい。
【００２０】
【実施例】
実施例
図２に示した羽毛掛け布団を得た。この羽毛掛け布団における立体マチの高さを５ｃｍとし、立体マチで劃された室の大きさを５５ｃｍ（タテ）×５２ｃｍ（ヨコ）とした。立体マチの中央部に開閉用ファスナーを設けた開閉口を作成した。そして、開閉口の両端には、各々、係合手段Ｂとして面ファスナーテープ（片面に雄材と雌材が混在した面ファスナーテープ）を設けた。
【００２１】
一方、羽毛入り中袋は、１袋の羽毛充填量を１１７ｇとし、同じものを１２個作成した。この羽毛入り中袋の高さを６ｃｍとし、大きさは５８ｃｍ（タテ）×５５ｃｍ（ヨコ）として、ヨコの片側端縁には、係合手段Ａとして２個のループ紐を設け、ヨコの他の側端縁には、係合手段Ｃとして２個の面ファスナーテープ（片面に雄材と雌材が混在した面ファスナーテープ）を設けた。袋に充填された羽毛は、ポーランド産のダウン９０％、フェザー１０％で、品質は嵩高性１６５ｍｍ、清浄度（透視度）５００ｍｍ以上、酸素係数１．６ｍｇのものを使用した。なお、清浄度とは、羽毛を一定量の蒸留水で洗浄し、その蒸留水の透明度（ｍｍ）を測定したものである。また、酸素係数とは、羽毛の残留有機物を検出するもので、有機物を酸化するのに必要な過マンガン酸カリウムの重量（ｍｇ）を測定したものである。
【００２２】
以上の側地と羽毛入り中袋１２個とを用いて、側地の各室に羽毛入り中袋を配置すると共に、係合手段Ａと係合手段Ｂとを係合して、羽毛掛け布団を完成させた。この羽毛掛け布団をベッドで使用したところ、寝返りをして掛け布団がベッドから垂れ下がっても、内部の羽毛入り中袋が各室内で片寄ることがなく、また、羽毛入り中袋内で羽毛が片寄ることもなく、極めて良好に使用できた。また、係合手段Ａと係合手段Ｃとを係合して、羽毛掛け布団としたものも、同様に極めて良好に使用できた。
【００２３】
【発明の効果】
以上の説明から明らかなように、本発明に係る羽毛掛け布団は、側表地及び側裏地に縫着されて固定されている立体マチに、羽毛入り中袋が固定されているため、各室内で羽毛入り中袋の片寄りを防止することができる。また、羽毛入り中袋に充填されている羽毛も、袋内での片寄りを防止しうるものである。この両者の片寄りが防止されることによって、本発明に係る羽毛掛け布団を使用した場合、羽毛の片寄りが少なく、快適に使用しうるという効果を奏する。
【図面の簡単な説明】
【図１】羽毛掛け布団の一従来例の断面図である。
【図２】本発明の一例に係る羽毛掛け布団の斜視図である。
【図３】図２に示した羽毛掛け布団の内部を表した斜視図である。
【図４】本発明の使用する羽毛入り中袋の一例を示した斜視図である。
【符号の説明】
１　　羽毛掛け布団
２　　側表地
３　　側裏地
４　　立体マチ
５　　室
６　　開閉口
７　　隙間
８　　羽毛入り中袋
Ａ　　係合手段Ａ
Ｂ　　係合手段Ｂ
Ｃ　　係合手段Ｃ
【図１】
2004016411.tif 000003
【図２】
2004016411.tif 000004
【図３】
2004016411.tif 000005
【図４】
2004016411.tif 000006